(57)【特許請求の範囲】
【請求項１】
無線端末に対し、エリア毎に固有の通信サービスを提供する移動体通信システムであって、
第１の無線端末が加入する通信サービスに未加入の第２の無線端末が、当該通信サービスの適用エリア内に存在するか否かを認識する認識部と、
前記第２の無線端末が前記通信サービスの適用エリア内に存在すると認識された場合に、前記第１の無線端末に、前記第２の無線端末への前記通信サービスの適用に関する認証要求を送信する認証部と、
前記第１の無線端末からの認証結果に基づき、前記第２の無線端末に対し、前記通信サービスの適用を実行する適用部と、
を備える移動体通信システム。
【請求項２】
前記第１及び前記第２の無線端末それぞれの移動を検知する検知部を更に備え、
前記認識部は、前記第１の無線端末と前記第２の無線端末とが通信中に、前記第２の無線端末が移動したことを検知した際に、前記第２の無線端末が、前記通信サービスの適用エリア内に存在するか否かを認識する、
請求項１に記載の移動体通信システム。
【請求項３】
前記第１の無線端末と前記第２の無線端末とが前記通信サービスの適用を受け通信している場合において、前記第２の無線端末が移動することで、前記通信サービスの適用エリア外に存在すると前記認識部により認識された際に、前記通信サービスの適用を解除する解除部を更に備える請求項２に記載の移動体通信システム。
【請求項４】
前記適用部は、前記通信サービスの適用期間を指定することができ、
前記解除部は、前記第２の無線端末が、前記通信サービスの適用エリア内と前記通信サービスの適用エリア外とを繰り返し移動することを前記認識部により認識された場合でも、前記適用期間中、継続して、前記通信サービスの適用を実行する、
請求項３に記載の移動体通信システム。
【請求項５】
無線端末毎に、前記通信サービスの適用可否に関するサービス適用情報を保持する保持部と、
前記第１の無線端末からの要求により、前記第２の無線端末に関する前記サービス適用情報を更新する更新部と、を更に備え、
前記適用部は、前記認識部により、前記第２の無線端末が前記通信サービスの適用エリア内に存在すると認識された場合に、前記第１の無線端末に認証要求を送信することなく、前記サービス適用情報に基づき、前記通信サービスの適用を実行する、
請求項１乃至４のいずれかに記載の移動体通信システム。
【発明の詳細な説明】
【技術分野】
【０００１】
本発明は、無線端末に対し、エリア毎に固有の通信サービスを提供する移動体通信システムに関する。
【背景技術】
【０００２】
近年、移動体通信ネットワークでは、各種割引や内線接続など、様々なサービスが提供されている。
【０００３】
図２５は、従来の移動体通信ネットワークにおけるサービス提供方法を示す図である。以下、図２５を用いて、従来の移動体通信ネットワークにおけるサービス提供方法について説明する。このような移動体通信ネットワークでは、サービス提供者、通信事業者等（以降、単に、事業者と表記する）が有する基地局２６０、２６１及び２６２、移動体通信交換局２６３、加入者データ管理端末２６４、ホームメモリ２６５等と、サービス利用者（以降、ユーザと表記する）が使用する無線端末２５０との間で、通信がなされる。
【０００４】
ユーザは、通信サービスを利用する場合、事業者に対し、受けたいサービスグループへの加入手続きを行う必要がある。加入手続きを依頼された事業者は、加入者データ管理端末２６４を操作することにより、サービスを要求するユーザが所有する無線端末２５０に関する、加入者データベース（ホームメモリ２６５）内の情報を更新する（「サービス可能」状態とする）。このとき、上記加入者データベース内のサービス提供可否の更新は、通信エリア毎に設定される。
【０００５】
これにより、事業者の加入者データベースで「サービス可能」と設定された無線端末２５０は、以降、サービス適用可能エリア内において、サービスを利用することが可能となる。このように、サービスを適用できるエリア情報と加入者に関する情報とは、移動体通信ネットワーク内で管理される。
【０００６】
従来の移動体通信ネットワークにおいて、上述のように、事業者の管理するデータベースに予めサービスなどを登録しておく手法が、以下の文献に開示されている。
【０００７】
特許文献１では、公衆電話番号と内線電話番号との対応を管理する番号変換部を持つシステムを用いて、公衆通話エリアから自営通話エリアへ移動した場合に、公衆電話番号への着信を構内交換機の内線電話番号への着信に変換する技術が開示されている。
【０００８】
また、特許文献２では、スクリーニング機能の加入者へ強制着信を行う方法などに関し、加入者側においてスクリーニング機能加入状態を変更しなくとも、予め管理局に発信者に関する識別情報を登録しておくことで、特定者（例えばネットワーク保守者）からの着信を可能にする技術が開示されている。
【特許文献１】特開平８−９０４２号公報
【特許文献２】特開２００１−５４１６６号公報
【特許文献３】特開２００４−２３６３４０号公報
【発明の開示】
【発明が解決しようとする課題】
【０００９】
上述したように、従来の移動体通信ネットワークでは、自身が保有する無線端末で或るサービスを利用する場合には、ユーザは、事前に、事業者へサービスグループへの加入手続きを行い、オフライン操作にて、ユーザの無線端末に関する加入者データベース内の情
報の更新を行う必要があった。
【００１０】
すなわち、サービスへの加入手続きを済ませていないユーザは、サービスを適用できるエリア内においてそのサービスを利用したいと考えた場合にも、即座に利用することができなかった。
【００１１】
例えば、内線接続サービス適用可能なエリア内において、内線接続サービス加入済みのユーザと未加入のユーザが通信する場合、加入済みのユーザが未加入のユーザに内線接続サービスを利用させたいと考えたとしても、リアルタイムに未加入のユーザが有する無線端末を内線接続サービスに加入させることができないため、両者の通話は外線接続となってしまっていた。
【００１２】
本発明の目的は、上記の問題点に鑑みてなされたものであり、通信サービスに加入済みの無線端末と通信する、当該通信サービスに未加入の無線端末に対し、当該通信サービスの適用／不適用をリアルタイムに変更することができる移動体通信システムを提供することである。
【課題を解決するための手段】
【００１３】
本発明は、上述した課題を解決するために以下の構成を採用する。即ち、本発明は、無線端末に対し、エリア毎に固有の通信サービスを提供する移動体通信システムであって、第１の無線端末が加入する通信サービスに未加入の第２の無線端末が、当該通信サービスの適用エリア内に存在するか否かを認識する認識部と、第２の無線端末が当該通信サービスの適用エリア内に存在すると認識された場合に、第１の無線端末に、前記第２の無線端末への当該通信サービスの適用に関する認証要求を送信する認証部と、第１の無線端末からの認証結果に基づき、第２の無線端末に対し、当該通信サービスの適用を実行する適用部とを備える移動体通信システムについてのものである。
【００１４】
本発明では、認識部により、第１の無線端末の加入している通信サービスに未加入の第２の無線端末が当該通信サービスの適用エリア内に存在すると認識されると、認証部により、当該通信サービス加入済みの第１の無線端末に対して、第２の無線端末への当該通信サービスの適用に関し認証要求が送信される。
【００１５】
当該認証要求に対する応答となる認証結果を第１の無線端末から受けると、適用部により、その認証結果に基づき、第２の無線端末に関する当該通信サービスの適用が実行される。
【００１６】
従って、本発明によれば、当該通信サービス加入済みの第１の無線端末のユーザは、この無線端末を操作し、認証結果を送信することにより、リアルタイムに、当該通信サービス未加入の第２の無線端末に関し、当該通信サービスの適用を実行することができる。通信中などにおいても、当該通信サービス適用エリア内にあれば、即時に、当該通信サービスを利用することができるようになる。ひいては、ユーザによる事前の通信サービス利用手続きを省くことができる。
【００１７】
また、本発明にかかる移動体通信システムは、第１及び第２の無線端末それぞれの移動を検知する検知部を更に備えており、上記認識部は、第１の無線端末と第２の無線端末とが通信中に、第２の無線端末が移動したことを検知した際に、第２の無線端末が、当該通信サービスの適用エリア内に存在するか否かを認識する。
【００１８】
本発明では、検知部により第２の無線端末が移動したことを検知した際に、第２の無線端末が当該通信サービスの適用エリア内に存在するか否かが認識され、当該通信サービス
の適用エリア内に存在すると認識された場合に、第１の無線端末に認証要求が送信される。
【００１９】
従って、本発明によれば、第１の無線端末と第２の無線端末とが通信中においても、当該無線端末の移動を検知することにより、リアルタイムに、当該通信サービスの適用を実行することができる。すなわち、当該通信サービスを適用せず通信している状態で、第２の無線端末が当該通信サービス適用エリア内に移動した場合においても、即座に、当該通信サービスを利用することができるようになる。
【００２０】
また、本発明にかかる移動体通信システムは、第１の無線端末と第２の無線端末とが当該通信サービスの適用を受け通信している場合において、第２の無線端末が移動することで、当該通信サービスの適用エリア外に存在すると上記認識部により認識された際に、当該通信サービスの適用を解除する解除部を更に備える。
【００２１】
従って、本発明では、当該通信サービスの適用を受け通信している際に、第２の無線端末が当該通信サービス適用エリア外に移動した場合には、即座に、当該通信サービスの適用を打ち切ることができるようになる。
【００２２】
また、本発明にかかる移動体通信システムは、上記適用部が、当該通信サービスの適用期間を指定することができ、上記解除部が、第２の無線端末が、当該通信サービスの適用エリア内／外を繰り返し移動することを上記認識部により認識された場合でも、上記適用期間中、継続して、当該通信サービスの適用を実行する。
【００２３】
本発明では、当該通信サービスの適用を実行する際に、その通信サービスの適用期間を指定することができ、その期間であれば、第２の無線端末が当該通信サービス適用エリア外に移動したとしても、再度、当該通信サービス適用エリア内に移動した場合に、即時に、当該通信サービスの適用を受けることができる。これにより、移動の度に、当該通信サービスの適用に関する認証要求を送信することなく、即座に、当該通信サービスの適用を受けることができる。
【００２４】
また、本発明にかかる移動体通信システムは、無線端末毎に、当該通信サービスの適用可否に関するサービス適用情報を保持する保持部と、第１の無線端末からの要求により、第２の無線端末に関する上記サービス適用情報を更新する更新部とを更に備えており、上記適用部が、上記認識部により、第２の無線端末が通信サービスの適用エリア内に存在すると認識された場合に、第１の無線端末に認証要求を送信することなく、上記サービス適用情報に基づき、当該通信サービスの適用を実行する。
【００２５】
本発明では、当該通信サービス加入済みの第１の無線端末により、予め、第２の無線端末に関し、当該通信サービスの適用を登録しておくことで、当該サービス適用の認証処理を行うことなく、即時に、当該通信サービスの適用を実行することができる。
【００２６】
なお、本発明は、以上の何れかの機能を実現させるプログラムであってもよい。また、本発明は、そのようなプログラムをコンピュータが読み取り可能な記憶媒体に記録してもよい。
【発明の効果】
【００２７】
本発明によれば、通信サービスに加入済みの無線端末と通信する、当該通信サービスに未加入の無線端末に対し、当該通信サービスの適用／不適用をリアルタイムに変更することができる移動体通信システムを実現することができる。
【発明を実施するための最良の形態】
【００２８】
以下、図面を参照して、それぞれ本発明の実施形態における移動体通信システムについて説明する。以下に述べる実施形態の構成は例示であり、本発明は以下の実施形態の構成に限定されない。
【００２９】
［第一実施形態］
本発明の第一実施形態における移動体通信システムについて、以下に説明する。
【００３０】
〔システム構成〕
まず、第一実施形態における移動体通信システムのシステム構成について、図１、２及び３を用いて説明する。図１は、第一実施形態における移動体通信システムのシステム構成を示すブロック図である。図２は、ホームメモリ内加入者データベースの位置情報テーブルの例を示す図である。図３は、ホームメモリ内加入者データベースの加入者情報／サービス情報テーブルの例を示す図である。
【００３１】
第一実施形態における移動体通信システムは、移動体通信交換局１０、複数の基地局２０、２１及び２２、ホームメモリ３０から構成され、サービス利用者（以降、単にユーザと表記する）の使用する無線端末５０に対し、各種通信サービスを提供する。図１には、移動体通信交換局１０及びホームメモリ３０は、それぞれ１つ示されているが、それぞれ必要に応じて２以上で構成されるようにしてもよい。
【００３２】
無線端末５０は、その所在地に応じて、その所在地を通信エリアとしてカバーする基地局と通信する。無線端末５０は、例えば、携帯電話、ＰＤＡ（Personal Digital Assistance）等の無線通信機能を有した端末である。
【００３３】
基地局２０、２１及び２２は、自身がカバーする通信エリア内にある無線端末５０と通信し、移動体通信交換局１０に無線端末５０を接続する。
【００３４】
移動体通信交換局１０は、複数の基地局２０、２１及び２２と接続され、当該基地局を介して、無線端末に各種通信サービスを提供する。通信サービスとしては、通常の通話サービス、すなわち、無線端末同士を外線電話番号により接続するサービス、当該通話サービスに基づく通話料割引サービスなどが考えられる。なお、本実施形態における移動体通信システムは、上記提供サービスを限定するものではない。
【００３５】
移動体通信交換局１０は、基地局２０、２１及び２２と接続するための機能の他、位置管理部１１、接続制御部１２、サービス制御部１３、認証制御部１４を有する。位置管理部１１は、各基地局のセルを管理し、無線端末の存在する位置を管理する。また、位置管理部１１は、無線端末の位置が、対象となる通信サービスの適用エリア内にあるか否かを判断する。接続制御部１２は、無線端末からの接続を制御し、他の無線端末との交換接続等を行う。サービス制御部１３は、無線端末に適用する通信サービスを制御する。認証制御部１４は、通信サービスを適用するための認証動作を制御する。
【００３６】
ホームメモリ３０は、移動体通信交換局１０に接続され、「位置情報」、「加入者情報」、「サービス情報」等を管理する加入者データベースを有している。「位置情報」は、図２の例に示すような位置情報テーブルに格納される。位置情報テーブルには、サービスの種類を示すサービス種別と、そのサービスの適用可能エリアについての情報とが関連付けられ格納される。また、「加入者情報」及び「サービス情報」は、図３の例に示すような加入者情報／サービス情報テーブルに格納される。加入者情報／サービス情報テーブルには、加入者の無線端末を識別するための加入者識別情報と、その無線端末が受け得る通信サービスを示す加入者情報と、その通信サービスの適用の可否等を示すサービス情報と
が関連付けられ格納されている。この通信サービスの種類には、内線接続サービス、割引サービス等の本移動体通信システムが提供する各種サービスがある。但し、本発明では、このサービスの種類を限定するものではない。
【００３７】
ホームメモリ３０は、移動体通信交換局１０本体のハードウェア内部のインターフェースにより接続されるメモリであってもよいし、移動体通信交換局１０にネットワークにより接続されるパソコン等に搭載されるメモリであってもよいし、ＮＡＳ（Network Attached Storage）のような専用メモリであってもよく、ハードウェアに限定されるものではない。
【００３８】
〔動作例〕
次に、第一実施形態における移動体通信システムの動作例について、図４を用いて説明する。図４は、サービス適用エリア内において、サービス未加入端末から加入済み端末へ発信する場合の、本移動体通信システムの動作概要を示す図である。
【００３９】
図４の例では、基地局２０はセル＃０１を、基地局２１はセル＃０２を、基地局２２はセル＃０３をそれぞれ通信エリアとしてサポートしており、セル＃０２及びセル＃０３がそれぞれ、ユーザが要求するサービスｘの適用可能エリアＸとなっている。また、無線端末５０は、サービスｘに未加入状態であり、セル＃０２内に位置している。一方、無線端末５１は、サービスｘに加入済み状態であり、セル＃０３内に位置している。
【００４０】
なお、このような場合のホームメモリ３０内の各情報は、図２及び３に示すようになる。すなわち、「位置情報」として、サービスｘのサービス適用エリアには、セル＃０２及びセル＃０３が登録されている（図２参照）。「加入者情報」及び「サービス情報」として、無線端末５０は、“適用サービス＝なし”、“サービスｘ＝未加入”状態となっており、無線端末５１は、“適用サービス＝サービスｘ”、“サービスｘ＝加入時契約”状態となっている（図３参照）。
【００４１】
このような条件の下、無線端末５０から無線端末５１へ発信が行われると、無線端末５０は、セル＃０２をサポートする基地局２１を介して、移動体通信交換局１０に接続される（図４に示す（１））。この時、移動体通信交換局１０の接続制御部１２は、ホームメモリ３０から無線端末５０及び５１についての「位置情報」、「加入者情報」、「サービス情報」を読み出す（図４に示す（２））。接続制御部１２は、無線端末５０と無線端末５１との接続を行う（図４に示す（３））。
【００４２】
無線端末５０と無線端末５１とが接続されると、移動体通信交換局１０の位置管理部１１は、接続制御部１２によって読み出された情報に基づき、無線端末５１の在圏するセル（セル＃０３）が無線端末５１の加入するサービスｘのサービス適用エリアＸ内に存在するか否かを判断する。同様に、位置管理部１１は、発呼側の無線端末５０の在圏するセル（セル＃０２）を認識し、そのセル（セル＃０２）がサービスｘ適用エリアＸ内であるか否かを判断する。位置管理部１１は、上記判断により、無線端末５０及び５１がサービスｘ適用エリアＸ内に存在すると判断した場合に、認証制御部１４に、サービス適用認証を指示する。
【００４３】
認証制御部１４は、このサービス適用認証の指示を受けると、発信相手側となる無線端末５１に対して、「サービス適用認証要求」を送信する（図４に示す（４））。この「サービス適用認証要求」は、対象となるサービスの適用可否を、無線端末に選択させるための要求である。この「サービス適用認証要求」は、図５に示すような、サービス適用の可否を選択させる音声情報であってもよいし、選択画面が表示されるようなアプリケーションであってもよい。
【００４４】
無線端末５１は、移動体通信交換局１０からの「サービス適用認証要求」を受信すると、サービス未加入端末である無線端末５０にサービスｘを適用するか否かの選択可能状態となる。ここでの選択可能状態とは、例えば、先に述べたように、移動体通信交換局１０から音声が送信されてくる場合には、その音声メッセージが流れている状態であってもよいし、アプリケーションが送信されてくる場合には、そのアプリケーションが起動され、選択画面が表示された状態であってもよい。また、このとき、発呼側となる無線端末５０には、サービス適用認証要求中を示す音声が流れるようにしてもよいし、一度、当該接続を切断し、サービス適用後再度接続シーケンスが処理されるようにしてもよい。
【００４５】
無線端末５１のユーザにより、サービスｘの適用可否を選択する操作が行われると（図５に示す選択肢１又は２が選択されると）、無線端末５１は、移動体通信交換局１０に対して「サービス適用認証結果」を送信する（図４に示す（５））。
【００４６】
無線端末５１から「サービス適用認証結果」を受けると、移動体通信交換局１０の認証制御部１４は、「サービス適用認証結果」の内容を調査する。認証制御部１４は、「サービス適用認証結果」が"サービス許容"である場合に、ホームメモリ３０内に格納される無線端末５０に関する「加入者情報」、「サービス情報」を"サービスｘ許容"状態に変更する（図４に示す（６））。図６は、サービス適用認証結果が“本通信中のみサービス許容”であった場合に更新された加入者情報／サービス情報テーブルの例を示す。図６では、無線端末５０の「加入者情報」フィールドが“適用サービス＝サービスｘ”と更新され、「サービス情報」フィールドが“サービスｘ＝本通信中のみサービス許容”と更新されている。
【００４７】
以降、サービスｘについて許容された無線端末５０は、本通信の間のみ、サービスｘの適用を受け、無線端末５１と通信することができるようになる。
【００４８】
なお、無線端末５１により、サービスｘの適用について“サービス非許容”と選択された（図５に示す選択肢３が選択された）場合には、無線端末５０は、サービスｘの適用を受けず、無線端末５１と通信することになる。
【００４９】
〈動作フロー〉
以下に、上述した図４の動作状況下における本移動体通信システムの動作フローの詳細について、図７を用いて説明する。図７は、サービス適用エリア内において、サービス未加入端末からサービス加入済み端末へ発信する場合の、本移動体通信システムの動作シーケンスを示す図である。
【００５０】
サービスｘ未加入の無線端末５０がセル＃０２に在圏しており、サービスｘ加入済みの無線端末５１がセル＃０３に在圏している。さらに、無線端末５１が加入するサービスｘは、セル＃０２及びセル＃０３において適用可能となっている。この場合のホームメモリ３０内に格納される位置情報テーブル、加入者情報／サービス情報テーブルは、図２及び３に示すような状態となる。
【００５１】
サービスｘ未加入の無線端末５０が、サービス加入済みの無線端末５１に発信すると、移動体通信交換局１０に発信要求が送信される（Ｓ７１）。
【００５２】
移動体通信交換局１０の接続制御部１２は、ホームメモリ３０内の加入者データベースから無線端末５０及び無線端末５１に関する「位置情報」、「加入者情報」、「サービス情報」を読み出す（Ｓ７２）。接続制御部１２は、無線端末５１に着信接続を要求する（Ｓ７３）。続けて、接続制御部１２は、サービス制御部１３へサービス制御を指示する（
Ｓ７４）。
【００５３】
サービス制御部１３は、サービス制御の指示を受けると、接続制御部１２によって読み出された「位置情報」、「加入者情報」、「サービス情報」から、無線端末５１の加入するサービスの情報を取得する。ここでは、図３に示すように、「加入者情報」として“適用サービス＝サービスｘ”、「サービス情報」として“サービスｘ＝加入時契約”という情報が取得される。また、サービス制御部１３は、取得された情報から、当該無線端末５１が“サービスｘ”に加入状態にあることを認識すると（Ｓ７５）、位置管理部１１へサービスｘ適用判定を指示する（Ｓ７６）。
【００５４】
位置管理部１１は、サービスｘ適用判定の指示を受けると、無線端末５１の在圏するセル（＃０３）が、サービスｘのサービス適用エリア内にあるか否か、及び、無線端末５０の在圏するセル（セル＃０２）が、当該サービスｘの適用可能エリアＸ内にあるか否かの判定を行う（Ｓ７７）。位置管理部１１は、この判定により、無線端末５０及び５１の在圏するセルがサービス適用エリアＸ内にあると判定すると、認証制御部１４へサービス適用認証を指示する（Ｓ７８）。
【００５５】
認証制御部１４は、サービス適用認証の指示を受けると、無線端末５１に対して「サービス適用認証要求」を送信する（Ｓ７９）。
【００５６】
無線端末５１は、移動体通信交換局１０からの「サービス適用認証要求」を受信すると、無線端末５０にサービスｘを適用するか否かを選択可能となる。すなわち、無線端末５１には、図５に示す認証選択肢からの選択を促す音声メッセージ等が送信される。無線端末５１のユーザは、この認証選択肢から相手先無線端末５０に対して、当該サービスｘを許容するか否かの選択を行う（Ｓ８０）。そして、そのユーザによって選択された「サービス適用認証結果」が移動体通信交換局１０に送信される（Ｓ８１）。例えば、無線端末５１のユーザが“本通信中のみサービス許容”を選択する操作を行った場合には（Ｓ８０）、無線端末５１は、移動体通信交換局１０に対して「サービス適用認証結果」として“本通信中のみサービス許容”を示す情報を送信する（Ｓ８１）。
【００５７】
移動体通信交換局１０の認証制御部１４は、無線端末５１からの「サービス適用認証結果」の内容を判定する(Ｓ８２)。この判定により、「サービス適用認証結果」がサービス許容を示すものである場合に、認証制御部１４は、ホームメモリ３０内の無線端末５０に関する情報を更新する（Ｓ８３）。例えば、この判定が“本通信中のみサービス許容”であった場合に、認証制御部１４は、図６に示すように、ホームメモリ３０の無線端末５０に関する「加入者情報」の適用サービスに“サービスｘ”を、「サービス情報」のサービスｘに“本通信中のみサービス許容”を設定し（Ｓ８３）、無線端末５０は即時にサービスｘを適用することが可能となる。
【００５８】
〈第一実施形態における作用／効果〉
このように、第一実施形態における移動体通信システムでは、対象となるサービス適用可能エリア内の、サービス未加入の無線端末５０からサービス加入済みの無線端末５１に発信があった場合に、以下のように動作する。
【００５９】
無線端末５０から無線端末５１へ発信が行われ、無線端末５０と無線端末５１とが接続されると、移動体通信交換局１０の位置管理部１１では、発呼側の無線端末５０の在圏するセルが認識され、そのセルが対象となるサービスの適用エリア内であるか否かが判断される。
【００６０】
移動体通信交換局１０の認証制御部１４では、位置管理部１１により、当該サービスの
適用エリア内に対象となるセルがあると判断されると、相手側となる無線端末５１に対して、「サービス適用認証要求」が送信される。
【００６１】
無線端末５１は、この「サービス適用認証要求」を受信すると、サービス未加入端末である無線端末５０に対し当該サービスを適用するか否かの選択可能状態となる。無線端末５１において、当該サービスの適用可否を選択する操作が行われると、無線端末５１は、移動体通信交換局１０に対して「サービス適用認証結果」を送信する。
【００６２】
無線端末５１から「サービス適用認証結果」を受けると、移動体通信交換局１０の認証制御部１４では、無線端末５１から受信された「サービス適用認証結果」に基づき、ホームメモリ３０内に格納される無線端末５０に関する各種情報が更新される。
【００６３】
以降、更新されたホームメモリ３０内に格納される各種情報に基づき、発呼側の無線端末５０における当該サービスの適用が決定される。
【００６４】
このように、本実施形態では、上記条件下において、サービス未加入の無線端末５０からサービス加入済みの無線端末５１へ発信（発呼）される場合に、移動体通信交換局１０により、発呼側の無線端末５０がサービス適用エリア内に位置すると判断されると、相手側の無線端末５１に、無線端末５０に関するサービス適用認証要求が送信される。
【００６５】
これにより、加入済みの無線端末５１のユーザは、この端末を操作し、サービス適用認証結果を移動体通信交換局１０に送信することにより、即座に、ホームメモリ３０内のサービス未加入の無線端末５０に関する情報を更新することができる。すなわち、呼び出された側となる、加入済み無線端末のユーザは、無線端末間の接続時にリアルタイムに、サービス未加入の無線端末に関しサービス適用を認証することができる。
【００６６】
［第二実施形態］
次に、本発明の第二実施形態における移動体通信システムについて、以下に説明する。先に説明した第一実施形態におけるシステムは、サービス未加入の無線端末からサービス加入済みの無線端末へ発信（発呼）される場合の実施例であった。第二実施形態における移動体通信システム装置は、サービス加入済みの無線端末からサービス未加入の無線端末に発信する場合の実施例である。
【００６７】
〔システム構成〕
第二実施形態における移動体通信システムは、第一実施形態と同様の機能部から構成され、各機能部における動作が多少異なる。第一実施形態と異なる動作をする機能部については、以下の動作例の項にて説明する。
【００６８】
〔動作例〕
第二実施形態における移動体通信システムの動作例について、図８を用いて説明する。図８は、サービス適用エリア内において、サービス加入済み端末からサービス未加入端末へ発信する場合の、本移動体通信システムの動作概要を示す図である。図８の例では、無線端末５１から無線端末５０へ発信すること以外は、図４に示す第一実施形態の例と同様である。なお、本システム動作前における、ホームメモリ３０内の加入者データベースの位置情報テーブルは、図２に示す状態であり、加入者情報／サービス情報テーブルは、図３に示す状態である。
【００６９】
このような条件の下、無線端末５１から無線端末５０へ発信が行われると、無線端末５１は、セル＃０３をサポートする基地局２２を介して、移動体通信交換局１０に接続される（図８に示す（１））。この時、移動体通信交換局１０の接続制御部１２は、ホームメ
モリ３０から無線端末５０及び５１についての「位置情報」、「加入者情報」、「サービス情報」を読み出す（図８に示す（２））。接続制御部１２は、無線端末５０と無線端末５１との接続を行う（図８に示す（３））。
【００７０】
無線端末５０と無線端末５１とが接続されると、移動体通信交換局１０の位置管理部１１は、当該無線端末５１の在圏するセル（セル＃０３）がサービスｘのサービス適用エリアＸ内に存在するか否かを判断する。さらに、位置管理部１１は、相手側の無線端末５０の在圏するセル（セル＃０２）を認識し、そのセル（セル＃０２）がサービスｘ適用エリアＸ内であるか否かを判断する。位置管理部１１は、上記判断により、無線端末５０及び５１がサービスｘ適用エリアＸ内であると判断した場合に、認証制御部１４に、サービス適用認証を指示する。
【００７１】
認証制御部１４は、このサービス適用認証の指示を受けると、発呼側となる無線端末５１に対して、「サービス適用認証要求」を送信する（図８に示す（４））。この「サービス適用認証要求」については、第一実施形態と同様である。
【００７２】
以降、移動体通信交換局１０からの「サービス適用認証要求」を受信した後の、無線端末５１及び移動体通信交換局１０の動作については、第一実施形態と同様である（図８に示す（５）、（６））。
【００７３】
〈動作フロー〉
以下、上述した図８の動作状況下における本移動体通信システムの動作フローの詳細について、図９を用いて説明する。図９は、サービス適用エリア内において、サービス加入済み端末からサービス未加入端末へ発信する場合の、本移動体通信システムの動作シーケンスを示す図である。この場合のホームメモリ３０内に格納される位置情報テーブル、加入者情報／サービス情報テーブルは、図２及び３に示すような状態となる。
【００７４】
サービスｘ加入済みの無線端末５１が、サービス未加入の無線端末５０に発信すると、無線端末５１から移動体通信交換局１０に発信要求が送信される（Ｓ９１）。
【００７５】
移動体通信交換局１０の接続制御部１２は、ホームメモリ３０内の加入者データベースから無線端末５０及び無線端末５１に関する「位置情報」、「加入者情報」、「サービス情報」を読み出す（Ｓ９２）。接続制御部１２は、無線端末５０に着信接続を要求する（Ｓ９３）。続けて、接続制御部１２は、サービス制御部１３へサービス制御を指示する（Ｓ９４）。
【００７６】
サービス制御部１３は、サービス制御の指示を受けると、接続制御部１２によって読み出された「加入者情報」、「サービス情報」から、無線端末５１の加入するサービスの情報を取得する。ここでは、図３に示すように、「加入者情報」として“適用サービス＝サービスｘ”、「サービス情報」として“サービスｘ＝加入時契約”という情報が取得される。
【００７７】
また、サービス制御部１３は、取得された情報から、当該無線端末５１が“サービスｘ”に加入状態にあることを認識すると（Ｓ９５）、位置管理部１１へサービスｘ適用判定を指示する（Ｓ９６）。
【００７８】
位置管理部１１は、サービスｘ適用判定の指示を受けると、無線端末５１の在圏するセル（＃０３）が、サービスｘのサービス適用エリア内にあるか否か、及び、無線端末５０の在圏するセル（セル＃０２）が、サービスｘの適用可能エリアＸ内にあるか否かの判定を行う（Ｓ９７）。位置管理部１１は、この判定により、無線端末５０及び５１の在圏す
るセルがサービスｘ適用エリアＸ内にあると判定すると、認証制御部１４へサービス適用認証を指示する（Ｓ９８）。
【００７９】
認証制御部１４は、サービス適用認証の指示を受けると、無線端末５１に対して「サービス適用認証要求」を送信する（Ｓ９９）。
【００８０】
無線端末５１は、移動体通信交換局１０からの「サービス適用認証要求」を受信すると、無線端末５０にサービスｘを適用するか否かを選択可能となる。以降、移動体通信交換局１０からの「サービス適用認証要求」を受信した後の、無線端末５１及び認証制御部の動作については、第一実施形態と同様である（Ｓ１００−１０３）。
【００８１】
〈第二実施形態における作用／効果〉
このように、第二実施形態における移動体通信システムでは、対象となるサービス適用可能エリア内の、当該サービス加入済みの無線端末から当該サービス未加入の無線端末に発信があった場合に、以下のように動作する。
【００８２】
無線端末５１から無線端末５０へ発信が行われ、無線端末５０と無線端末５１とが接続されると、移動体通信交換局１０の位置管理部１１では、相手側の無線端末５０の在圏するセルが認識され、そのセルが対象となるサービスの適用エリア内であるか否かが判断される。
【００８３】
移動体通信交換局１０の認証制御部１４では、位置管理部１１により、当該サービスの適用エリア内に対象となるセルがあると判断されると、発呼側となる無線端末５１に対して、「サービス適用認証要求」が送信される。
【００８４】
無線端末５１は、この「サービス適用認証要求」を受信すると、サービス未加入端末である無線端末５０に対し当該サービスを適用するか否かの選択可能状態となる。
【００８５】
以降、第一実施形態と同様に、サービス加入済みの無線端末５１により、呼び出し相手のサービス未加入の無線端末５０を、当該サービスに適用させるか否かが選択され、その結果に基づき、ホームメモリ３０内の情報が更新される。
【００８６】
このように、本実施形態では、サービス加入済みの無線端末からサービス未加入の無線端末へ発信される場合においても、サービス未加入の無線端末からサービス加入済みの無線端末へ発信される場合と同様に、当該接続時に、リアルタイムに、サービス未加入の無線端末に関しサービス適用を認証することができる。
【００８７】
［第三実施形態］
次に、本発明の第三実施形態における移動体通信システムについて、以下に説明する。第三実施形態における移動体通信システム装置は、サービス適用エリア外に在圏している、サービス未加入の無線端末５０と、サービス適用エリア内に在圏している、サービス加入済みの無線端末５１とが通信を行っている場合に、当該無線端末５０がサービス適用エリア内へ移動した場合の実施例である。
【００８８】
〔システム構成〕
第三実施形態における移動体通信システムは、第一実施形態と同様の機能部から構成され、各機能部における動作が多少異なる。第一実施形態と異なる動作をする機能部については、以下の動作例の項にて説明する。
【００８９】
〔動作例〕
第三実施形態における移動体通信システムの動作例について、図１０を用いて説明する。図１０は、サービス加入済みの無線端末と通信中のサービス未加入の無線端末が、サービス適用エリア外からサービス適用エリア内に移動する場合の、本移動体通信システムの動作概要を示す図である。図１０の例における、基地局とそれがサポートするセル、及び、サービス適用エリア内に属するセル等は、上述の実施形態と同様である。
【００９０】
無線端末５０は、サービスｘに未加入状態であり、まず、セル＃０１内に在圏している。一方、無線端末５１は、サービスｘに加入済み状態であり、セル＃０３内に在圏している。なお、このような場合のホームメモリ３０内の各情報は、図２及び３に示すようになっている。
【００９１】
この場合、無線端末５０は、基地局２０を介して移動体通信交換局１０に接続されており、無線端末５１は、基地局２２を介して移動体通信交換局１０に接続されている。また、無線端末５０がサービスｘの適用可能エリアＸ外に在圏しているため、無線端末５０と無線端末５１とは、サービスｘを適用せず、通信されている。
【００９２】
無線端末５０と無線端末５１とが通信中に、無線端末５０がサービス適用エリア内のセル＃０２内に移動すると、移動体通信交換局１０の位置管理部１１は、無線端末５０の在圏するセルを認識する。すなわち、位置管理部１１は、無線端末５０の在圏するセルがセル＃０１からセル＃０２に移動したことを認識する（図１０に示す（１））。
【００９３】
そして、位置管理部１１は、発信相手側となる無線端末５１の在圏するセル（セル＃０３）がサービスｘのサービス適用エリアＸ内に存在するか否かを判断する。さらに、位置管理部１１は、無線端末５０の在圏するセルがサービスｘ適用エリアＸ内であるか否かを判断する。位置管理部１１は、その判断により、双方がサービスｘ適用エリアＸ内であると判断すると、認証制御部１４に、サービス適用認証を指示する。
【００９４】
認証制御部１４は、このサービス適用認証の指示を受けると、サービス加入済みの無線端末５１に対して、「サービス適用認証要求」を送信する（図１０に示す（３））。この「サービス適用認証要求」については、先に述べた実施形態と同様である。
【００９５】
以降、移動体通信交換局１０からの「サービス適用認証要求」を受信した後の、無線端末５１及び移動体通信交換局１０の動作については、第一実施形態等と同様である（図１０に示す（４）、（５））。
【００９６】
〈動作フロー〉
以下、上述した図１０の動作状況下における本移動体通信システムの動作フローの詳細について、図１１を用いて説明する。図１１は、サービス加入済みの無線端末と通信中のサービス未加入の無線端末が、サービス適用エリア外からサービス適用エリア内に移動する場合の、本移動体通信システムの動作シーケンスを示す図である。この場合のホームメモリ３０内に格納される位置情報テーブル、加入者情報／サービス情報テーブルは、図２及び３に示すような状態となっている。
【００９７】
無線端末５０と無線端末５１とが通信中に、無線端末５０が移動することにより、在圏するセルがセル＃０１からセル＃０２へ移動すると、無線端末５０は、移動体通信交換局１０にハンドオーバー要求を通知する（Ｓ１１０）。
【００９８】
移動体通信交換局１０の接続制御部１２は、ハンドオーバー要求を受けると、ホームメモリ３０内の加入者データベースから無線端末５０及び無線端末５１に関する「位置情報」、「加入者情報」、「サービス情報」を読み出す（Ｓ１１１）。続けて、接続制御部１
２は、サービス制御部１３へサービス制御を指示する（Ｓ１１２）。
【００９９】
サービス制御部１３は、サービス制御の指示を受けると、接続制御部１２によって読み出された「加入者情報」、「サービス情報」から、無線端末５１の加入するサービスの情報を取得する。サービス制御部１３は、取得された情報から無線端末５１がサービスｘに加入状態にあることを認識すると（Ｓ１１３）、位置管理部１１へサービスｘ適用判定を指示する（Ｓ１１４）。
【０１００】
位置管理部１１は、サービスｘ適用判定の指示を受けると、無線端末５１の在圏するセル（＃０３）が、無線端末５１の加入するサービスｘのサービス適用エリア内にあるか否か、及び、無線端末５０の在圏するセル（セル＃０２）が、サービスｘの適用可能エリアＸ内にあるか否かの判定を行う（Ｓ１１５）。位置管理部１１は、この判定により、無線端末５０及び５１の在圏するセルがエリアＸ内にあると判定すると、認証制御部１４へサービス適用認証を指示する（Ｓ１１６）。
【０１０１】
認証制御部１４は、サービス適用認証の指示を受けると、無線端末５１に対して「サービス適用認証要求」を送信する（Ｓ１１７）。
【０１０２】
無線端末５１は、移動体通信交換局１０からの「サービス適用認証要求」を受信すると、無線端末５０にサービスｘを適用するか否かを選択可能となる。以降、移動体通信交換局１０からの「サービス適用認証要求」を受信した後の、無線端末５１及び認証制御部の動作については、第一実施形態と同様である（Ｓ１１８−１２１）。
【０１０３】
〈第三実施形態における作用／効果〉
このように、第三実施形態における移動体通信システムは、サービス加入済みの無線端末５１と通信中のサービス未加入の無線端末５０が、サービス適用エリア外からサービス適用エリア内に移動した場合に、以下のように動作する。
【０１０４】
サービス加入済みの無線端末５１と通信中に、サービスｘ未加入の無線端末５０から通知されるハンドオーバー要求を受けると、移動体通信交換局１０の位置管理部１１では、当該無線端末５０の在圏するセルが認識され、そのセルが対象となるサービスの適用エリア内であるか否かが判断される。
【０１０５】
移動体通信交換局１０の認証制御部１４では、位置管理部１１により、当該サービスの適用エリア内に対象となるセルがあると判断されると、サービス加入済みの無線端末５１に対して、「サービス適用認証要求」が送信される。
【０１０６】
無線端末５１は、この「サービス適用認証要求」を受信すると、サービス未加入端末である無線端末５０に対し当該サービスを適用するか否かの選択可能状態となる。
【０１０７】
以降、第一実施形態と同様に、サービス加入済みの無線端末５１により、呼び出し相手のサービス未加入の無線端末５０を、当該サービスに適用させるか否かが選択され、その結果に基づき、ホームメモリ３０内の情報が更新される。
【０１０８】
このように、本実施形態では、サービス加入済みの無線端末と通信中のサービス未加入の無線端末が、サービス適用エリア外からサービス適用エリア内に移動した場合に、その無線端末から通知されるハンドオーバー要求に応じて、サービス適用認証がなされる。これにより、接続中のサービス未加入の無線端末がサービス適用エリアに移動した場合においても、リアルタイムに、サービス未加入の無線端末に関しサービス適用を認証することができる。
【０１０９】
［第四実施形態］
次に、本発明の第四実施形態における移動体通信システムについて、以下に説明する。上述の第三実施形態におけるシステムは、サービス未加入の無線端末がサービス適用エリア外からサービス適用エリア内に移動する場合の実施例であった。第四実施形態における移動体通信システム装置は、サービス加入済みの無線端末がサービス適用エリア外からサービス適用エリア内に移動する場合の実施例である。
【０１１０】
〔システム構成〕
第四実施形態における移動体通信システムは、第一実施形態と同様の機能部から構成され、各機能部における動作が多少異なる。第一実施形態と異なる動作をする機能部については、以下の動作例の項にて説明する。
【０１１１】
〔動作例〕
第四実施形態における移動体通信システムの動作例について、図１２を用いて説明する。図１２は、サービス未加入の無線端末と通信中のサービス加入済みの無線端末が、サービス適用エリア外からサービス適用エリア内に移動する場合の、本移動体通信システムの動作概要を示す図である。図１２の例における、基地局とそれがサポートするセル、及び、サービス適用エリア内に属するセル等は、上述の実施形態と同様である。
【０１１２】
無線端末５０は、サービスｘに未加入状態であり、セル＃０３内に在圏している。一方、無線端末５１は、サービスｘに加入済み状態であり、まず、セル＃０１内に在圏している。なお、このような場合のホームメモリ３０内の各情報は、図２及び３に示すようになっている。
【０１１３】
この場合、無線端末５０は、基地局２２を介して移動体通信交換局１０に接続されており、無線端末５１は、基地局２０を介して移動体通信交換局１０に接続されている。また、無線端末５１がサービスｘの適用可能エリアＸ外に在圏しているため、無線端末５０と無線端末５１とは、サービスｘを適用せず、通信されている。
【０１１４】
無線端末５０と無線端末５１とが通信中に、無線端末５１がサービス適用エリア内のセル＃０２内に移動すると、移動体通信交換局１０の位置管理部１１は、無線端末５０及び５１の在圏するセルを認識する。すなわち、位置管理部１１は、無線端末５１の在圏するセルがセル＃０１からセル＃０２に移動したことを認識する（図１２に示す（１））。
【０１１５】
位置管理部１１は、無線端末５０及び５１の在圏するセルがサービスｘ適用エリアＸ内であるか否かを判断する。位置管理部１１は、上記判断により、無線端末５０及び５１がサービスｘ適用エリアＸ内であると判断した場合に、認証制御部１４に、サービス適用認証を指示する。
【０１１６】
認証制御部１４は、このサービス適用認証の指示を受けると、サービス加入済みの無線端末５１に対して、「サービス適用認証要求」を送信する（図１２に示す（３））。この「サービス適用認証要求」については、先に述べた実施形態と同様である。
【０１１７】
以降、移動体通信交換局１０からの「サービス適用認証要求」を受信した後の、無線端末５１及び移動体通信交換局１０の動作については、第一実施形態と同様である（図１２に示す（４）、（５））。
【０１１８】
〈動作フロー〉
以下、上述した図１２の動作状況下における本移動体通信システムの動作フローの詳細
について、図１３を用いて説明する。図１３は、サービス未加入の無線端末と通信中のサービス加入済みの無線端末が、サービス適用エリア外からサービス適用エリア内に移動する場合の、本移動体通信システムの動作シーケンスを示す図である。この場合のホームメモリ３０内に格納される位置情報テーブル、加入者情報／サービス情報テーブルは、図２及び３に示すような状態となっている。
【０１１９】
無線端末５０と無線端末５１とが通信中に、無線端末５１が移動することにより、在圏するセルがセル＃０１からセル＃０２へ移動すると、無線端末５１は、移動体通信交換局１０にハンドオーバー要求を通知する（Ｓ１３０）。
【０１２０】
移動体通信交換局１０の接続制御部１２は、ハンドオーバー要求を受けると、ホームメモリ３０内の加入者データベースから無線端末５０及び無線端末５１に関する「位置情報」、「加入者情報」、「サービス情報」を読み出す（Ｓ１３１）。続けて、接続制御部１２は、サービス制御部１３へサービス制御を指示する（Ｓ１３２）。
【０１２１】
サービス制御部１３は、サービス制御の指示を受けると、接続制御部１２によって読み出された「位置情報」、「加入者情報」、「サービス情報」から、無線端末５１の加入するサービスの情報を取得する。サービス制御部１３は、取得された情報から無線端末５１がサービスｘに加入状態にあることを認識すると（Ｓ１３３）、位置管理部１１へサービスｘ適用判定を指示する（Ｓ１３４）。
【０１２２】
位置管理部１１は、サービスｘ適用判定の指示を受けると、無線端末５１の在圏するセル（セル＃０２）が、サービスｘの適用可能エリアＸ内にあるか否かの判定を行うとともに、無線端末５０の在圏するセル（セル＃０３）が、サービスｘの適用可能エリアＸ内にある否かの判定を行う（Ｓ１３５）。位置管理部１１は、この判定により、無線端末５０及び５１の在圏するセルが双方ともサービスｘ適用エリアＸ内にあると判定すると、認証制御部１４へサービス適用認証を指示する（Ｓ１３６）。
【０１２３】
認証制御部１４は、サービス適用認証の指示を受けると、無線端末５１に対して「サービス適用認証要求」を送信する（Ｓ１３７）。
【０１２４】
無線端末５１は、移動体通信交換局１０からの「サービス適用認証要求」を受信すると、無線端末５０に対しサービスｘを適用するか否かを選択可能となる。以降、移動体通信交換局１０からの「サービス適用認証要求」を受信した後の、無線端末５１及び認証制御部の動作については、第一実施形態と同様である（Ｓ１３８−１４１）。
【０１２５】
〈第四実施形態における作用／効果〉
このように、第四実施形態における移動体通信システムは、サービス未加入の無線端末５０と通信中のサービス加入済みの無線端末５１が、サービス適用エリア外からサービス適用エリア内に移動した場合に、以下のように動作する。
【０１２６】
サービス未加入の無線端末５０と通信中に、サービスｘ加入済みの無線端末５１から通知されるハンドオーバー要求を受けると、移動体通信交換局１０の位置管理部１１では、当該無線端末５０及び５１の在圏するセルが認識され、そのセルが対象となるサービスの適用エリアＸ内であるか否かが判断される。
【０１２７】
移動体通信交換局１０の認証制御部１４では、位置管理部１１により、当該サービスの適用エリア内に対象となるセルがあると判断されると、サービス加入済みの無線端末５１に対して、「サービス適用認証要求」が送信される。
【０１２８】
無線端末５１は、この「サービス適用認証要求」を受信すると、サービス未加入端末である無線端末５０に対し当該サービスを適用するか否かの選択可能状態となる。
【０１２９】
以降、第一実施形態と同様に、サービス加入済みの無線端末５１により、サービス未加入の無線端末５０を、当該サービスに適用させるか否かが選択され、その結果に基づき、ホームメモリ３０内の情報が更新される。
【０１３０】
このように、本実施形態では、サービス未加入の無線端末と通信中のサービス加入済みの無線端末が、サービス適用エリア外からサービス適用エリア内に移動した場合に、その無線端末から通知されるハンドオーバー要求に応じて、サービス適用認証がなされる。これにより、接続中のサービス加入済みの無線端末がサービス適用エリア内に移動した場合においても、リアルタイムに、サービス未加入の無線端末に関しサービス適用を認証することができる。
【０１３１】
［第五実施形態］
次に、本発明の第五実施形態における移動体通信システムについて、以下に説明する。第五実施形態における移動体通信システム装置では、上述の第一実施形態から第四実施形態のいずれかのシステム動作により、無線端末５１の認証手順で無線端末５０にサービスｘを適用している状況下において、無線端末５０がサービスｘの適用エリア外に移動した場合の実施例である。
【０１３２】
〔システム構成〕
第五実施形態における移動体通信システムは、第一実施形態と同様の機能部から構成され、各機能部における動作が多少異なる。第一実施形態と異なる動作をする機能部については、以下の動作例の項にて説明する。
【０１３３】
〔動作例〕
第五実施形態における移動体通信システムの動作例について、図１４を用いて説明する。図１４は、サービス適用認証によりサービス適用されている元サービス未加入端末が、サービス適用エリア内からサービス適用エリア外に移動する場合の、本移動体通信システムの動作概要を示す図である。図１４の例における、基地局とそれがサポートするセル、及び、サービス適用エリア内に属するセル等は、上述の実施形態と同様である。
【０１３４】
無線端末５０は、サービスｘ未加入状態であったが、上述のサービス適用認証によりサービス適用を受け、サービスｘ加入済みの無線端末５１と通信中である。無線端末５０は、まず、セル＃０２内に在圏しており、無線端末５１は、セル＃０３内に在圏している。なお、この場合のホームメモリ３０内の各情報は、図６に示すようになっている。すなわち、ホームメモリ３０の加入者データベース内の、無線端末５０に対応した「加入者情報」として“適用サービス＝サービスｘ”が、「サービス情報」として“サービスｘ＝本通信中のみサービス許容”が設定されている。
【０１３５】
無線端末５０と無線端末５１とが通信中に、無線端末５０がサービス適用エリア外のセル＃０１内に移動すると、移動体通信交換局１０の位置管理部１１は、無線端末５０の在圏するセルを認識する。すなわち、位置管理部１１は、無線端末５０の在圏するセルがセル＃０２からセル＃０１に移動したことを認識する（図１４に示す（１））。
【０１３６】
位置管理部１１は、無線端末５０の在圏するセルがサービスｘ適用エリアＸ外であるか否かを判断する。位置管理部１１は、上記判断により、無線端末５０がサービスｘ適用エリアＸ外であると判断した場合に、ホームメモリ３０の無線端末５０に関する「加入者情報」、「サービス情報」をサービスｘ非適用の状態（図３に示す状態）に変更する（図１
４に示す（３））。
【０１３７】
以降、無線端末５０と無線端末５１との通信に適用されていたサービスｘは、解除される。
【０１３８】
〈動作フロー〉
以下、上述した図１４の動作状況下における本移動体通信システムの動作フローの詳細について、図１５を用いて説明する。図１５は、サービス適用認証によりサービス適用されている元サービス未加入端末が、サービス適用エリア内からサービス適用エリア外に移動する場合の、本移動体通信システムの動作シーケンスを示す図である。この場合のホームメモリ３０内に格納される位置情報テーブル、加入者情報／サービス情報テーブルは、図２及び６に示すような状態となっている。すなわち、無線端末５０に対応した「加入者情報」として“適用サービス＝サービスｘ”が設定され、「サービス情報」として“サービスｘ＝本通信中のみサービス許容”が設定されている。
【０１３９】
無線端末５０と無線端末５１とが通信中に、無線端末５０が移動することにより、在圏するセルがセル＃０２からセル＃０１へ移動すると、無線端末５０は、移動体通信交換局１０にハンドオーバー要求を通知する（Ｓ１５０）。移動体通信交換局１０の接続制御部１２は、ハンドオーバー要求を受けると、ホームメモリ３０内の加入者データベースから無線端末５０及び無線端末５１に関する「位置情報」、「加入者情報」、「サービス情報」を読み出す（Ｓ１５１）。続けて、接続制御部１２は、サービス制御部１３へサービス制御を指示する（Ｓ１５２）。
【０１４０】
サービス制御部１３は、サービス制御の指示を受けると、接続制御部１２によって読み出された「位置情報」、「加入者情報」、「サービス情報」から、無線端末５１の加入するサービスの情報を取得する。ここでは、図６に示すように、「加入者情報」として“適用サービス＝サービスｘ”、「サービス情報」として“サービスｘ＝加入時契約”という情報が取得される。サービス制御部１３は、取得された情報から無線端末５１がサービスｘに加入状態にあることを認識すると（Ｓ１５３）、位置管理部１１へサービスｘ適用判定を指示する（Ｓ１５４）。
【０１４１】
位置管理部１１は、サービスｘ適用判定の指示を受けると、無線端末５０の在圏するセル（セル＃０１）が、サービスｘの適用可能エリアＸ内にある否かの判定を行う（Ｓ１５５）。位置管理部１１は、この判定により、無線端末５０の在圏するセルがサービスｘの適用可能エリア外であると判定すると、認証制御部１４へサービス適用解除を指示する（Ｓ１５６）。
【０１４２】
認証制御部１４は、サービス適用解除の指示を受けると、無線端末５０に関し、ホームメモリ３０の加入者データベースの、「加入者情報」フィールドを“適用サービス＝なし”と変更し、「サービス情報」フィールドを“サービスｘ＝未加入”と変更する（Ｓ１５７）。
【０１４３】
以降、無線端末５０と無線端末５１との通信に適用されていたサービスｘは、解除される。
【０１４４】
〈第五実施形態における作用／効果〉
このように、第五実施形態における移動体通信システムは、サービス適用認証によりサービス適用されている元サービス未加入端末が、サービス適用エリア内からサービス適用エリア外に移動する場合に、以下のように動作する。
【０１４５】
サービス適用認証によりサービス適用されている無線端末５０とサービス加入済みの無線端末５１とが通信中に、当該無線端末５０からハンドオーバー要求を受けると、移動体通信交換局１０の位置管理部１１では、当該無線端末５０の在圏するセルが認識され、そのセルが対象となるサービスの適用エリアＸ内であるか否かが判断される。
【０１４６】
当該無線端末５０の在圏するセルがサービス適用エリア外であると判断されると、移動体通信交換局１０の認証制御部１４では、当該無線端末５０に関し、ホームメモリ３０の加入者データベースがサービス非適用状態に変更される。
【０１４７】
以降、無線端末５０は、即時に、サービスｘの適用が解除される。
【０１４８】
このように、本実施形態では、サービス適用認証によりサービス適用されている元サービス未加入端末が、サービス適用エリア内からサービス適用エリア外に移動する場合、その無線端末から通知されるハンドオーバー要求に応じて、移動先のセルがサービス適用外であれば、その無線端末のサービス適用を解除する。これにより、サービス適用認証によりサービス適用された無線端末がサービス適用エリア外へ移動した場合において、リアルタイムに、サービス適用解除を行うことができる。
【０１４９】
［第六実施形態］
次に、本発明の第六実施形態における移動体通信システムについて、以下に説明する。第六実施形態における移動体通信システム装置では、上述の第一実施形態から第四実施形態のいずれかのシステム動作により、無線端末５１の認証手順で無線端末５０にサービスｘを適用している状況下において、無線端末５１がサービスｘの適用エリア外に移動した場合の実施例である。
【０１５０】
〔システム構成〕
第六実施形態における移動体通信システムは、第一実施形態と同様の機能部から構成され、各機能部における動作が多少異なる。第一実施形態と異なる動作をする機能部については、以下の動作例の項にて説明する。
【０１５１】
〔動作例〕
第六実施形態における移動体通信システムの動作例について、図１６を用いて説明する。図１６は、サービス適用認証を行ったサービス加入済み端末が、サービス適用エリア内からサービス適用エリア外に移動する場合の、本移動体通信システムの動作概要を示す図である。図１６の例における、基地局とそれがサポートするセル、及び、サービス適用エリア内に属するセル等は、上述の実施形態と同様である。
【０１５２】
無線端末５１は、サービスｘ加入済み状態であり、上述のサービス適用認証によりサービス適用がされている、元サービスｘ未加入状態の無線端末５０と通信中である。
【０１５３】
無線端末５０は、セル＃０３内に在圏しており、無線端末５１は、まず、セル＃０２内に在圏している。なお、この場合のホームメモリ３０内の各情報は、図６に示すようになっている。すなわち、ホームメモリ３０の加入者データベース内の、無線端末５０に対応した「加入者情報」として“適用サービス＝サービスｘ”が、「サービス情報」として“サービスｘ＝『本通信中のみサービス許容』”が設定されている。
【０１５４】
無線端末５０と無線端末５１とが通信中に、無線端末５１がサービス適用エリア外のセル＃０１内に移動すると、移動体通信交換局１０の位置管理部１１は、無線端末５１の在圏するセルを認識する。すなわち、位置管理部１１は、無線端末５１の在圏するセルがセル＃０２からセル＃０１に移動したことを認識する（図１６に示す（１））。
【０１５５】
その後、位置管理部１１は、無線端末５１の在圏するセルがサービスｘ適用エリアＸ外であるか否かを判断する。位置管理部１１は、上記判断により、無線端末５１がサービスｘ適用エリアＸ外であると判断した場合に、ホームメモリ３０の無線端末５０に関する「加入者情報」、「サービス情報」をサービスｘ非適用の状態（図３に示す状態）に変更する（図１６に示す（３））。
【０１５６】
以降、無線端末５０と無線端末５１との通信に適用されていたサービスｘは、解除される。
【０１５７】
〈動作フロー〉
以下、上述した図１６の動作状況下における本移動体通信システムの動作フローの詳細について、図１７を用いて説明する。図１７は、サービス適用認証を行ったサービス加入済み端末が、サービス適用エリア内からサービス適用エリア外に移動する場合の、本移動体通信システムの動作シーケンスを示す図である。この場合のホームメモリ３０内に格納される位置情報テーブル、加入者情報／サービス情報テーブルは、図２及び６に示すような状態となっている。すなわち、無線端末５０に対応した「加入者情報」として“適用サービス＝サービスｘ”が設定され、「サービス情報」として“サービスｘ＝本通信中のみサービス許容”が設定されている。
【０１５８】
無線端末５０と無線端末５１とが通信中に、無線端末５１が移動することにより、在圏するセルがセル＃０２からセル＃０１へ移動すると、無線端末５１は、移動体通信交換局１０にハンドオーバー要求を通知する（Ｓ１７０）。移動体通信交換局１０の接続制御部１２は、ハンドオーバー要求を受けると、ホームメモリ３０内の加入者データベースから無線端末５０及び無線端末５１に関する「位置情報」、「加入者情報」、「サービス情報」を読み出す（Ｓ１７１）。続けて、接続制御部１２は、サービス制御部１３へサービス制御を指示する（Ｓ１７２）。
【０１５９】
サービス制御部１３は、サービス制御の指示を受けると、接続制御部１２によって読み出された「位置情報」、「加入者情報」、「サービス情報」から、無線端末５１の加入するサービスの情報を取得する。サービス制御部１３は、取得された情報から無線端末５１がサービスｘに加入状態にあることを認識すると（Ｓ１７３）、位置管理部１１へサービスｘ適用判定を指示する（Ｓ１７４）。
【０１６０】
位置管理部１１は、サービスｘ適用判定の指示を受けると、無線端末５０の在圏するセル（セル＃０３）が、サービスｘの適用可能エリアＸ内にあるか否かの判定を行うとともに、無線端末５１の在圏するセル（セル＃０１）が、サービスｘの適用可能エリアＸ内にある否かの判定を行う（Ｓ１７５）。位置管理部１１は、この判定により、無線端末５１の在圏するセルがサービスｘの適用可能エリア外であると判定すると、認証制御部１４へサービス適用解除を指示する（Ｓ１７６）。
【０１６１】
認証制御部１４は、サービス適用解除の指示を受けると、無線端末５０に関し、ホームメモリ３０の加入者データベースの、「加入者情報」フィールドを“適用サービス＝なし”と変更し、「サービス情報」フィールドを“サービスｘ＝未加入”と変更する（Ｓ１７７）。
【０１６２】
以降、無線端末５０と無線端末５１との通信に適用されていたサービスｘは、解除される。
【０１６３】
〈第六実施形態における作用／効果〉
このように、第六実施形態における移動体通信システムは、元サービス未加入端末に対しサービス適用認証を行ったサービス加入済み端末が、サービス適用エリア内からサービス適用エリア外に移動する場合に、以下のように動作する。
【０１６４】
サービス適用認証によりサービス適用されている無線端末５０とサービス加入済みの無線端末５１とが通信中に、当該無線端末５１からハンドオーバー要求を受けると、移動体通信交換局１０の位置管理部１１では、当該無線端末５０及び５１の在圏するセルが認識され、そのセルが対象となるサービスの適用エリアＸ内であるか否かが判断される。
【０１６５】
当該無線端末５１の在圏するセルがサービス適用エリア外であると判断されると、移動体通信交換局１０の認証制御部１４では、当該無線端末５０に関し、ホームメモリ３０の加入者データベースがサービス非適用状態に変更される。
【０１６６】
以降、無線端末５０は、即時に、サービスｘの適用が解除される。
【０１６７】
このように、本実施形態では、サービス適用認証を行ったサービス加入済み端末が、サービス適用エリア内からサービス適用エリア外に移動する場合、その無線端末から通知されるハンドオーバー要求に応じて、移動先のセルがサービス適用外であれば、その無線端末がサービス認証によりサービスを適用していた無線端末に関し、サービス適用を解除する。これにより、サービス適用認証を行った無線端末がサービス適用エリア外に移動した場合において、リアルタイムに、サービス適用解除を行うことができる。
【０１６８】
［第七実施形態］
次に、本発明の第七実施形態における移動体通信システムについて、以下に説明する。第七実施形態における移動体通信システム装置では、上述の第一実施形態から第四実施形態のいずれかのシステム動作により、無線端末５１の認証手順で無線端末５０にサービスｘの一定期間継続適用が許可された場合の実施例である。
【０１６９】
〔システム構成〕
第七実施形態における移動体通信システムは、第一実施形態と同様の機能部から構成され、各機能部における動作が多少異なる。第一実施形態と異なる動作をする機能部については、以下の動作例の項にて説明する。
【０１７０】
〔動作例〕
第七実施形態における移動体通信システムの動作例について、図１８を用いて説明する。図１８は、サービスｘの一定期間継続適用が許可された元サービス未加入端末が、サービス適用エリア内／外を移動した場合の、本移動体通信システムの動作概要を示す図である。図１８の例における、基地局とそれがサポートするセル、及び、サービス適用エリア内に属するセル等は、上述の実施形態と同様である。
【０１７１】
サービス未加入の無線端末５０は、サービス加入済みの無線端末５１により当該サービスの一定期間継続適用が許可されており、サービスｘ適用エリアＸ内で、その無線端末５１と通信中である。ここまでの動作は、先に述べた実施形態と同様である。
【０１７２】
なお、本実施形態では、「サービス適用認証要求」（図１８の（１））を受けた無線端末５１は、無線端末５０に対して“一定期間サービス許容”を認証結果として、移動体通信交換局１０に通知する（図１８の（２））。これにより、この認証結果を受けた移動体通信交換局１０は、ホームメモリ３０の無線端末５０に関する情報を更新する（図１８の（３））。このときの加入者情報／サービス情報テーブルの状態を図１９に示す。すなわち、無線端末５０に関し、「加入者情報」の適用サービスに“サービスｘ”が設定され、
「サービス情報」のサービスｘに“一定期間サービス許容”が設定される。
【０１７３】
このような通信中状態において、無線端末５０がサービスｘ適用エリア外に移動した時（矢印１８２）、移動体通信交換局１０の位置管理部１１は、当該無線端末５０の在圏セルを認識する（図１８に示す（４））。その後、位置管理部１１は、認証制御部１４にサービスｘの適用変更指示を通知する。
【０１７４】
認証制御部１４は、サービスｘの適用変更指示を受けると、ホームメモリ３０から当該無線端末５０に関し、「加入者情報」、「サービス情報」を読み出す（図１８に示す（５））。認証制御部１４は、読み出された情報からサービスｘが“一定期間サービス許容”状態となっていることを確認すると、ホームメモリ３０内の情報を更新せず、サービスｘの適用状態を継続する。
【０１７５】
一度、サービスｘ適用エリアＸ外に出た無線端末５０が、再度、サービスｘの適用エリアＸ内に移動してきた場合（矢印１８１）、位置管理部１１は、無線端末５０がサービス適用状態であること、及び、無線端末５０の在圏セルがサービスｘの適用エリアＸ内にあることを判断する（図１８の（６））。無線端末５０がサービスｘ適用状態にあり、かつ、無線端末５０の在圏セルがサービスｘ適用エリアＸ内にある場合には、認証手順が処理されることなく、サービスｘの適用がなされる。
【０１７６】
また、無線端末５０と無線端末５１とがサービスｘを適用して通信している場合に、両者の通信が切断された場合、無線端末５０は、呼切断指示を送信する（図１８の（７））。
【０１７７】
移動体通信交換局１０の接続制御部１２は、この呼切断指示を受けると、認証制御部１４へサービスｘの適用変更指示を通知する。認証制御部１４は、このサービス適用変更指示を受けると、ホームメモリ３０から「加入者情報」、「サービス情報」を読み出す（図１８の（８））。
【０１７８】
認証制御部１４は、読み出された情報から、当該サービスｘが“一定期間サービス許容”状態に設定されていると判断した場合には、当該「一定期間」サービスｘを継続状態とする（ホームメモリ３０の情報を更新しない）（図１８の（９））。
【０１７９】
〈動作フロー〉
以下、上述した図１８の動作状況下における本移動体通信システムの動作フローの詳細について、図２０及び２１を用いて説明する。図２０は、サービスｘの一定期間継続適用が許可された元サービス未加入端末が、サービス適用エリア外に移動した場合の、本移動体通信システムの動作シーケンスを示す図である。図２１は、サービスｘの一定期間継続適用が許可された元サービス未加入端末が、サービス適用エリア内に戻ってきた場合の、本移動体通信システムの動作シーケンスを示す図である。
【０１８０】
まず、ホームメモリ３０内に格納される加入者情報／サービス情報テーブルについては、無線端末５０に関し、「加入者情報」として“適用サービス＝なし”が設定され、「サービス情報」として“サービスｘ＝未加入”が設定されている。
【０１８１】
移動体通信交換局１０の認証制御部１４が、無線端末５１に対して「サービス適用認証要求」を送信する動作シーケンスについては、先に述べた実施形態と同様である。
【０１８２】
本実施形態では、移動体通信交換局１０からの「サービス適用認証要求」（Ｓ２０１）を受信した無線端末５１では、ユーザにより、サービス未加入の無線端末５０に関し“一
定期間サービス許容”を選択する操作が行われる（Ｓ２０２）。例えば、図５に示す例によれば、“選択肢２．一定期間サービス許容”が選択された状態である。無線端末５１は、この“一定期間サービス許容”が設定された「サービス適用認証結果」を移動体通信交換局１０に通知する（Ｓ２０３）。
【０１８３】
この「サービス適用認証結果」を受けた認証制御部１４は、「サービス適用認証結果」の内容を判定し、ホームメモリ３０の無線端末５０に関する情報を更新する（Ｓ２０４、Ｓ２０５）。このときの加入者情報／サービス情報テーブルの状態を図１９に示す。すなわち、無線端末５０に関し、「加入者情報」の適用サービスに“サービスｘ”が設定され、「サービス情報」のサービスｘに“一定期間サービス許容”が設定される。これにより、無線端末５０は、即時に、一定期間サービスｘを適用することが可能となる。以後、無線端末５０と無線端末５１とはサービスｘを適用し通信する。
【０１８４】
次に、上述の状態において、無線端末５１と通信中の無線端末５０がサービスｘ適用エリア外のセル＃０１へ移動した場合の、本移動体通信システムの動作について説明する。
【０１８５】
無線端末５０は、移動体通信交換局１０の接続制御部１２へハンドオーバー要求を通知する（Ｓ２０６）。
【０１８６】
接続制御部１２は、ハンドオーバー要求を受けると、サービスｘ適用中状態であることを認識し、位置管理部１１へ「サービス適用判定」を指示する（Ｓ２０７）。
【０１８７】
位置管理部１１は、無線端末５０がサービスｘ適用中状態で、かつ、無線端末５０の在圏するセル＃０１がサービス適用エリア外であると認識すると（Ｓ２０８）、認証制御部１４へ「サービス適用変更」を指示する（Ｓ２０９）。
【０１８８】
認証制御部１４は、ホームメモリ３０の無線端末５０に関する「加入者情報」と「サービス情報」を読み出す(Ｓ２１０)。認証制御部１４は、読み出された情報により、サービスｘにつき“一定期間サービス許容”と設定されていることを認識すると（Ｓ２１１）、サービスｘの適用を継続するために、ホームメモリ３０の情報を変更しない（Ｓ２１２）。すなわち、図１９に示す状態のまま維持される。
【０１８９】
次に、一度、サービスｘ適用エリアＸ外に移動した無線端末５０がサービスｘ適用エリアＸ内のセル＃０２に戻ってきた場合の動作シーケンスについて、図２１を用いて説明する。
【０１９０】
再度、無線端末５０は、サービスｘ適用エリアＸ内のセル＃０２に戻ってくると、移動体通信交換局１０の接続制御部１２へ、ハンドオーバー要求を送信する（Ｓ２１５）。
【０１９１】
接続制御部１２は、ハンドオーバー要求を受けると、位置管理部１１へ「サービス適用判定」を指示する（Ｓ２１６）。位置管理部１１は、無線端末５０が在圏しているセル＃０２がサービスｘ適用エリアＸ内であるか否か、及び、無線端末５０がサービスｘ適用中状態か否かを判断する（Ｓ２１７）。位置管理部１１は、上記判断により、無線端末５０がサービスｘ適用エリアＸ内に在圏しており、かつ、サービスｘ適用中状態であることを認識すると、サービス適用変更は指示せず、サービスｘの適用を継続する（Ｓ２１８）。
【０１９２】
次に、サービス適用により通信中の無線端末５０と無線端末５１との通信が切断された場合の、本移動体通信システムの動作について説明する。
【０１９３】
サービス適用により通信中の無線端末５０は、無線端末５１との通信が切断されると、
移動体通信交換局１０へ呼切断指示を送信する（Ｓ２２０）。移動体通信交換局１０の接続制御部１２は、この呼切断指示を受けると、当該無線端末５０がサービス適用中状態であることを認識し、認証制御部１４へサービス適用変更を指示する。
【０１９４】
認証制御部１４は、ホームメモリ３０の無線端末５０に関する「加入者情報」と「サービス情報」を読み出す（Ｓ２２２）。認証制御部１４は、読み出された情報から、サービスｘについて“一定期間サービス許容”と設定されていると判断すると（Ｓ２２３）、サービス適用期間に従い、サービス適用状態を変更する（Ｓ２２４）。
【０１９５】
なお、ここで判断される「一定期間」については、他の情報と同様に、ホームメモリ３０内に格納されるようにしてもよい。例えば、この「一定期間」が“当該通信中の間”と設定されている場合には、呼切断を契機にサービスｘの適用状態を解除するようにしてもよい。また、認証制御部１４がこの適用期間を監視し、適用期間満了時にサービスｘの適用状態を変更すべく、ホームメモリ３０内の情報を更新するようにしてもよい。
【０１９６】
〈第七実施形態における作用／効果〉
このように、第七実施形態における移動体通信システムは、サービス未加入端末に対し、サービス加入済み端末が、当該サービスの一定期間継続適用を許可している場合に、以下のように動作する。
【０１９７】
無線端末５１から“一定期間サービス許容”が設定された「サービス適用認証結果」を受けると、移動体通信交換局１０は、ホームメモリ３０内の無線端末５０に関する情報を“サービスｘ＝一定期間サービス許容”として更新する。
【０１９８】
この状態において、移動体通信交換局１０は、無線端末５１と通信中の無線端末５０がサービスｘ適用エリア外へ移動したことを認識し、かつ、無線端末５０がサービスｘ適用中状態であると判断すると、認証制御部１４へ「サービス適用変更」を指示する。認証制御部１４は、ホームメモリ３０の無線端末５０に関する情報により、サービスｘにつき“一定期間サービス許容”と設定されていることを認識すると、サービスｘの適用を継続するために、ホームメモリ３０の情報を変更しない。
【０１９９】
更に、無線端末５０がサービスｘ適用エリアＸ内に戻ってきた場合には、移動体通信交換局１０は、無線端末５０がサービスｘ適用エリアＸ内に在圏しており、かつ、サービスｘ適用中状態であることを認識し、サービス適用変更は指示せず、サービスｘの適用を継続する。
【０２００】
これにより、一定期間サービス適用が許可された無線端末５０は、その間、当該サービス適用エリア内／外を移動したとしても、即時に、当該サービスの適用を受けることができる。この場合、その都度のサービス適用認証処理は必要とならない。
【０２０１】
また、サービス適用により通信中の無線端末５０と無線端末５１との通信が切断された場合にも同様に、一定期間サービスの適用は維持される。
【０２０２】
［第八実施形態］
次に、本発明の第八実施形態における移動体通信システムについて、以下に説明する。第八実施形態における移動体通信システム装置では、予めサービス適用可否を本移動体通信システムに設定しておく場合の実施例である。
【０２０３】
〔システム構成〕
第八実施形態における移動体通信システムは、第一実施形態と同様の機能部から構成さ
れ、各機能部における動作が多少異なる。第一実施形態と異なる動作をする機能部については、以下の動作例の項にて説明する。
【０２０４】
〔動作例〕
第八実施形態における移動体通信システムの動作例について、図２２を用いて説明する。図２２は、予めサービス適用認証がなされた場合の、本移動体通信システムの動作概要を示す図である。図２２の例における、基地局とそれがサポートするセル、及び、サービス適用エリア内に属するセル等は、上述の実施形態と同様である。
【０２０５】
無線端末５０は、サービス未加入であり、無線端末５１は、サービス加入済みである。これにより、ホームメモリ３０の無線端末５０及び５１に関する情報は、図２及び３に示す状態である。すなわち、無線端末５０に関しては、加入者情報として、“適用サービス＝なし”と設定されており、サービス情報として、“サービスｘ＝未加入”と設定されている。
【０２０６】
サービス加入済みの無線端末５１は、通信相手先となる無線端末５０の識別情報（例えば、電話番号）を認識している。この場合、無線端末５１は、無線端末５０にサービスｘを適用させたい場合、無線端末５０と通信をする前に、無線端末５０に対して、サービス適用認証の操作を行う。このとき、無線端末５１によるサービス適用認証の操作は、移動体通信交換局１０から図５に示すような音声メッセージに応じて行うようにしてもよいし、無線端末５１にインストールされているアプリケーションを起動して操作するようにしてもよい。
【０２０７】
無線端末５１によりサービス適用認証操作がなされると、無線端末５１から「サービス適用認証登録」が通知される（図２２の（１））。この通知を受けると、移動体通信交換局１０は、無線端末５０に関し、ホームメモリ３０の「加入者情報」の適用サービスに“サービスｘ”を設定し、「サービス情報」のサービスｘに“エリア内にて自動的にサービス許容”が設定される（図２２の（２））。更新後のホームメモリ３０内の加入者情報／サービス情報テーブルの状態を図２３に示す。
【０２０８】
これにより、先の実施形態のように、サービス加入済みの無線端末５１に対し、「サービス適用認証要求」を送信することなく、自動的に無線端末５０に、即時にサービスｘを適用することが可能となる。
【０２０９】
〈動作フロー〉
以下、上述した図２２の動作状況下における本移動体通信システムの動作フローの詳細について、図２４を用いて説明する。図２４は、予めサービス適用認証がなされる場合の、本移動体通信システムの動作シーケンスを示す図である。
【０２１０】
まず、ホームメモリ３０内に格納される加入者情報／サービス情報テーブルについては、無線端末５０に関し、「加入者情報」として“適用サービス＝なし”が設定され、「サービス情報」として“サービスｘ＝未加入”が設定されている。
【０２１１】
サービス加入済みの無線端末５１は、通信相手先となる無線端末５０と通信をする前に、無線端末５０の識別情報（例えば、電話番号）と共に、サービス適用認証登録を通知する（Ｓ２３１）。
【０２１２】
移動体通信交換局１０の認証制御部１４は、当該「サービス適用認証登録」を受けると、無線端末５０に関し、ホームメモリ３０の「加入者情報」の適用サービスに“サービスｘ”を設定し、「サービス情報」のサービスｘに“エリア内にて自動的にサービス許容”
を設定する（Ｓ２３２）。更新後のホームメモリ３０内の加入者情報／サービス情報テーブルは、図２３のようになる。
【０２１３】
このようなシステム状態において、セル＃０２に在圏する無線端末５０から、サービス加入済みの無線端末５１に発信があった場合、本移動体通信システムは、以下のような動作をする。
【０２１４】
無線端末５０が、無線端末５１に発信すると、移動体通信交換局１０に発信要求が送信される（Ｓ２３３）。移動体通信交換局１０の接続制御部１２は、ホームメモリ３０から無線端末５０及び５１の「位置情報」、「加入者情報」、「サービス情報」を読み出す（Ｓ２３４）。接続制御部１２は、無線端末５１に着信接続を要求する(Ｓ２３５)。続けて、接続制御部１２は、サービス制御部１３へサービス制御を指示する（Ｓ２３６）。
【０２１５】
サービス制御部１３は、接続制御部１２によって読み出された「加入者情報」、「サービス情報」から、無線端末５１の加入するサービス情報を取得し、無線端末５１がサービスｘに加入済み状態であること、及び、無線端末５０がサービスｘに対し“エリア内にて自動的にサービス許容”状態となっていることを認識する（Ｓ２３７）。この認識により、サービス制御部１３は、位置管理部１１へサービスｘ適用エリア判定を通知する（Ｓ２３８）。
【０２１６】
位置管理部１１は、無線端末５０の在圏するセル＃０２が、サービスｘの適用エリアＸ内にあるか否かの判定を行い（Ｓ２３９）、サービスｘ適用エリアＸ内であれば、無線端末５１に問い合わせることなく、無線端末５０は、即時にサービスｘを適用することが可能となる。
【０２１７】
〈第八実施形態における作用／効果〉
このように、第八実施形態における移動体通信システムは、サービス未加入端末に対し、サービス加入済み端末が、予めサービス適用を許可している場合に、以下のように動作する。
【０２１８】
サービス加入済みの無線端末５１は、予め、無線端末５０に関し、“エリア内にて自動的にサービス許容”を移動体通信交換局１０に登録しておく。これにより、当該サービス適用エリア内において、無線端末５０が無線端末５１に発信した場合に、移動体通信交換局１０は、無線端末５１にサービス適用認証を要求することなく、ホームメモリ３０内の登録情報を元に、当該サービスの適用を実行することができる。
【０２１９】
従って、予め、サービス適用に関する情報を登録しておくことで、本移動体通信システムでは、都度、サービス適用認証を要求することなく、即座に、サービス適用を実行することができる。
【０２２０】
[その他]
本実施形態は次の発明を開示する。各項に開示される発明は、必要に応じて可能な限り組み合わせることができる。
【０２２１】
（付記１）
無線端末に対し、エリア毎に固有の通信サービスを提供する移動体通信システムであって、
第１の無線端末が加入する通信サービスに未加入の第２の無線端末が、当該通信サービスの適用エリア内に存在するか否かを認識する認識部と、
前記第２の無線端末が前記通信サービスの適用エリア内に存在すると認識された場合に
、前記第１の無線端末に、前記第２の無線端末への前記通信サービスの適用に関する認証要求を送信する認証部と、
前記第１の無線端末からの認証結果に基づき、前記第２の無線端末に対し、前記通信サービスの適用を実行する適用部と、
を備える移動体通信システム。
【０２２２】
（付記２）
前記認識部は、前記第２の無線端末から前記第１の無線端末へ発信する際に、前記第２の無線端末が、前記通信サービスの適用エリア内に存在するか否かを認識する、
付記１に記載の移動体通信システム。
【０２２３】
（付記３）
前記認識部は、前記第１の無線端末から前記第２の無線端末へ発信する際に、前記第２の無線端末が、前記通信サービスの適用エリア内に存在するか否かを認識する、
付記１又は２に記載の移動体通信システム。
【０２２４】
（付記４）
前記第１及び前記第２の無線端末それぞれの移動を検知する検知部を更に備え、
前記認識部は、前記第１の無線端末と前記第２の無線端末とが通信中に、前記第２の無線端末が移動したことを検知した際に、前記第２の無線端末が、前記通信サービスの適用エリア内に存在するか否かを認識する、
付記１乃至３のいずれかに記載の移動体通信システム。
【０２２５】
（付記５）
前記認識部は、前記第１の無線端末と前記第２の無線端末とが通信中に、前記第１の無線端末が移動したことを検知した際に、前記第２の無線端末が、前記通信サービスの適用エリア内に存在するか否かを認識する、
付記４に記載の移動体通信システム。
【０２２６】
（付記６）
前記第１の無線端末と前記第２の無線端末とが前記通信サービスの適用を受け通信している場合において、前記第２の無線端末が移動することで、前記通信サービスの適用エリア外に存在すると前記認識部により認識された際に、前記通信サービスの適用を解除する解除部を更に備える付記４又は５に記載の移動体通信システム。
【０２２７】
（付記７）
前記解除部は、前記第１の無線端末が移動することで、前記通信サービスの適用エリア外に存在すると前記認識部により認識された際に、前記通信サービスの適用を解除する、
付記６に記載の移動体通信システム。
【０２２８】
（付記８）
前記適用部は、前記通信サービスの適用期間を指定することができ、
前記解除部は、前記第２の無線端末が、前記通信サービスの適用エリア内と前記通信サービスの適用エリア外とを繰り返し移動することを前記認識部により認識された場合でも、前記適用期間中、継続して、前記通信サービスの適用を実行する、
付記６又は７に記載の移動体通信システム。
【０２２９】
（付記９）
無線端末毎に、前記通信サービスの適用可否に関するサービス適用情報を保持する保持部と、
前記第１の無線端末からの要求により、前記第２の無線端末に関する前記サービス適用情報を更新する更新部と、を更に備え、
前記適用部は、前記認識部により、前記第２の無線端末が前記通信サービスの適用エリア内に存在すると認識された場合に、前記第１の無線端末に認証要求を送信することなく、前記サービス適用情報に基づき、前記通信サービスの適用を実行する、
付記１乃至８のいずれかに記載の移動体通信システム。
【０２３０】
（付記１０）
無線端末に対し、エリア毎に固有の通信サービスを提供する移動体通信ネットワークに用いられるサービス適用方法であって、
第１の無線端末が加入する通信サービスに未加入の第２の無線端末が、当該通信サービスの適用エリア内に存在するか否かを認識するステップと、
前記第２の無線端末が前記通信サービスの適用エリア内に存在すると認識された場合に、前記第１の無線端末に、前記第２の無線端末への前記通信サービスの適用に関する認証要求を送信するステップと、
前記第１の無線端末からの認証結果に基づき、前記第２の無線端末に対し、前記通信サービスの適用を実行する適用ステップと、
を備えるサービス適用方法。
【図面の簡単な説明】
【０２３１】
【図１】実施形態における移動体通信システムのシステム構成を示す図である。
【図２】位置情報テーブルの例を示す図である。
【図３】加入者情報／サービス情報テーブルの例を示す図である。
【図４】エリア内でサービス未加入端末からサービス加入済み端末へ発信する場合の動作概要を示す図である。
【図５】無線端末によるサービス認証操作を示す図である。
【図６】本通信中のみサービス適用状態の加入情報／サービス情報テーブルの例を示す図である。
【図７】エリア内でサービス未加入端末からサービス加入済み端末へ発信する場合の動作シーケンスを示す図である。
【図８】エリア内でサービス加入済み端末からサービス未加入端末へ発信する場合の動作概要を示す図である。
【図９】エリア内でサービス加入済み端末から未加入端末へ発信する場合の動作シーケンスを示す図である。
【図１０】サービス未加入端末がエリア外からエリア内に移動した場合の動作概要を示す図である。
【図１１】サービス未加入端末がエリア外からエリア内に移動した場合の動作シーケンスを示す図である。
【図１２】サービス加入済み端末がエリア外からエリア内に移動した場合の動作概要を示す図である。
【図１３】サービス加入済み端末がエリア外からエリア内に移動した場合の動作シーケンスを示す図である。
【図１４】サービス適用認証を受けた未加入端末がエリア外に移動した場合の動作概要を示す図である。
【図１５】サービス適用認証を受けた未加入端末がエリア外に移動した場合の動作シーケンスを示す図である。
【図１６】サービス適用認証を行った加入済み端末がエリア外に移動した場合の動作概要を示す図である。
【図１７】サービス適用認証を行った加入済み端末がエリア外に移動した場合の動作シーケンスを示す図である。
【図１８】一定期間サービス適用認証を受けた未加入端末がエリア内外を移動した場合の動作概要を示す図である。
【図１９】一定期間サービス適用状態の加入者情報／サービス情報テーブルを示す図である。
【図２０】一定期間サービス適用認証を受けた未加入端末がエリア外に移動した場合の動作シーケンスを示す図である。
【図２１】一定期間サービス適用認証を受けた未加入端末がエリア内に戻ってきた場合の動作シーケンスを示す図である。
【図２２】予めサービス適用認証がなされている場合の動作概要を示す図である。
【図２３】自動サービス適用状態の加入者情報／サービス情報テーブルを示す図である。
【図２４】予めサービス適用認証がなされている場合の動作シーケンスを示す図である。
【図２５】従来技術によるサービス提供方法を示す図である。
【符号の説明】
【０２３２】
１０、２６３  移動体通信交換局
２０、２１、２２、２６０、２６１、２６２  基地局
３０、２６５  ホームメモリ
１１  位置管理部
１２  接続制御部
１３  サービス制御部
１４  認証制御部
５０、２５０  無線端末
２６４  加入者データ管理端末
【図１】
0004630142.tif 000002
【図２】
0004630142.tif 000003
【図３】
0004630142.tif 000004
【図４】
0004630142.tif 000005
【図５】
0004630142.tif 000006
【図６】
0004630142.tif 000007
【図７】
0004630142.tif 000008
【図８】
0004630142.tif 000009
【図９】
0004630142.tif 000010
【図１０】
0004630142.tif 000011
【図１１】
0004630142.tif 000012
【図１２】
0004630142.tif 000013
【図１３】
0004630142.tif 000014
【図１４】
0004630142.tif 000015
【図１５】
0004630142.tif 000016
【図１６】
0004630142.tif 000017
【図１７】
0004630142.tif 000018
【図１８】
0004630142.tif 000019
【図１９】
0004630142.tif 000020
【図２０】
0004630142.tif 000021
【図２１】
0004630142.tif 000022
【図２２】
0004630142.tif 000023
【図２３】
0004630142.tif 000024
【図２４】
0004630142.tif 000025
【図２５】
0004630142.tif 000026